(57)【要約】【課題】  移動通信システムにおいて、ＭＢＭＳと称される高速データ通信に対応したサービスを提供するために必要なＩｕインタフェースにおける論理コネクションを構成する際に、他のパケット通信サービスとの競合をなくす。【解決手段】  ＣＮ１０のＳＧＳＮ１２と無線制御装置２２との間における論理コネクションとして、既存のパケット通信サービスのためのＰＳ（パケット交換処理）機能用コネクション１２１と、新たな高速データ通信であるＭＢＭＳサービスのためのコネクション１２２とを独立に分離して設ける構成とする。これにより、ＰＳサービスとＭＢＭＳサービスとの異種サービス間での競合がなくなり、異種サービス間での処理が、互いの処理を意識することなく行えることになる。また、コネクションの開放処理が、各サービス毎に単独で行えるので、ＳＧＳＮ１２の処理の複雑さが解消される。【選択図】      図１                                                  
2006042389.tif 000002
【特許請求の範囲】
【請求項１】
パケットデータ通信のためのパケット交換機能を有するノードを有するコアネットワークと、無線制御装置と、移動端末とを含み、前記無線制御装置と前記ノードとの間のインタフェースにおいてコネクションを設定するようにした移動通信システムであって、
前記パケットデータ通信よりも高速なマルチキャストデータ通信のためのコネクションを、前記パケットデータ通信のためのコネクションとは別に設定するコネクション設定手段を含むことを特徴とする移動通信システム。
【請求項２】
前記コネクション設定手段は、前記マルチキャストデータ通信のためのコネクションを、前記マルチキャストデータ通信のサービスを受ける複数の移動端末に対して共通に設定することを特徴とする請求項１記載の移動通信システム。
【請求項３】
前記コネクション設定手段は、前記マルチキャストデータ通信のサービスを受ける最初の移動端末からのサービス実施要求に応答して、前記マルチキャストデータ通信のためのコネクションを設定することを特徴とする請求項２記載の移動通信システム。
【請求項４】
前記マルチキャストデータ通信のサービスを受ける最後の移動端末からのサービス脱会要求に応答して、前記マルチキャストデータ通信のためのコネクションを開放する手段を、更に含むことを特徴とする請求項２または３記載の移動通信システム。
【請求項５】
前記コネクション設定手段は、前記マルチキャストデータ通信のためのコネクションを、前記マルチキャストデータ通信のサービスを受ける複数の移動端末の各々に対して個々に設定することを特徴とする請求項１記載の移動通信システム。
【請求項６】
前記移動端末の各々からの前記マルチキャストデータ通信のサービス脱会要求に応答して、当該移動端末に対応した前記マルチキャストデータ通信のためのコネクションを開放する手段を、更に含むことを特徴とする請求項５記載の移動通信システム。
【請求項７】
前記コアネットワークでの前記パケット交換機能のための領域であるＰＳドメインで、前記移動端末の前記マルチキャストデータ通信用のコネクションを管理するようにしたことを特徴とする請求項１〜６いずれか記載の移動通信システム。
【請求項８】
前記コアネットワークでの前記パケット交換機能のための領域であるＰＳドメインとは別の前記マルチキャストデータ通信のためのドメインで、前記移動端末の前記マルチキャストデータ通信用のコネクションを管理するようにしたことを特徴とする請求項１〜６いずれか記載の移動通信システム。
【請求項９】
パケットデータ通信のためのパケット交換機能を有するノードを有するコアネットワークと、無線制御装置と、移動端末とを含み、前記無線制御装置と前記ノードとの間のインタフェースにおいてコネクションを設定するようにした移動通信システムにおける動作制御方法であって、
前記パケットデータ通信よりも高速なマルチキャストデータ通信のためのコネクションを、前記パケットデータ通信のためのコネクションとは別に設定するコネクション設定ステップを含むことを特徴とする動作制御方法。
【請求項１０】
前記コネクション設定ステップは、前記マルチキャストデータ通信のためのコネクションを、前記マルチキャストデータ通信のサービスを受ける複数の移動端末に対して共通に設定することを特徴とする請求項９記載の動作制御方法。
【請求項１１】
前記コネクション設定ステップは、前記マルチキャストデータ通信のサービスを受ける最初の移動端末からのサービス実施要求に応答して、前記マルチキャストデータ通信のためのコネクションを設定することを特徴とする請求項１０記載の動作制御方法。
【請求項１２】
前記マルチキャストデータ通信のサービスを受ける最後の移動端末からのサービス脱会要求に応答して、前記マルチキャストデータ通信のためのコネクションを開放するステップを、更に含むことを特徴とする請求項１０または１１記載の動作制御方法。。
【請求項１３】
前記コネクション設定ステップは、前記マルチキャストデータ通信のためのコネクションを、前記マルチキャストデータ通信のサービスを受ける複数の移動端末の各々に対して個々に設定することを特徴とする請求項９記載の動作制御方法。
【請求項１４】
前記移動端末の各々からの前記マルチキャストデータ通信のサービス脱会要求に応答して、当該移動端末に対応した前記マルチキャストデータ通信のためのコネクションを開放するステップを、更に含むことを特徴とする請求項１３載の動作制御方法。
【請求項１５】
パケットデータ通信のためのパケット交換機能を有するノードを有するコアネットワークと、無線制御装置と、移動端末とを含み、前記無線制御装置と前記ノードとの間のインタフェースにおいてコネクションを設定するようにした移動通信システムにおけるノードであって、
前記パケットデータ通信よりも高速なマルチキャストデータ通信のためのコネクションを、前記パケットデータ通信のためのコネクションとは別に設定するコネクション設定手段を含むことを特徴とするノード。
【請求項１６】
前記コネクション設定手段は、前記マルチキャストデータ通信のためのコネクションを、前記マルチキャストデータ通信のサービスを受ける複数の移動端末に対して共通に設定することを特徴とする請求項１５記載のノード。
【請求項１７】
前記コネクション設定手段は、前記マルチキャストデータ通信のサービスを受ける最初の移動端末からのサービス実施要求に応答して、前記マルチキャストデータ通信のためのコネクションを設定することを特徴とする請求項１６記載のノード。
【請求項１８】
前記マルチキャストデータ通信のサービスを受ける最後の移動端末からのサービス脱会要求に応答して、前記マルチキャストデータ通信のためのコネクションを開放するコネクション開放手段を、更に含むことを特徴とする請求項１６または１７記載のノード。
【請求項１９】
前記コネクション設定手段は、前記マルチキャストデータ通信のためのコネクションを、前記マルチキャストデータ通信のサービスを受ける複数の移動端末の各々に対して個々に設定することを特徴とする請求項１５記載のノード。
【請求項２０】
前記移動端末の各々からの前記マルチキャストデータ通信のサービス脱会要求に応答して、当該移動端末に対応した前記マルチキャストデータ通信のためのコネクションを開放する手段を、更に含むことを特徴とする請求項１９記載のノード。
【請求項２１】
パケットデータ通信のためのパケット交換機能を有するノードを有するコアネットワークと、無線制御装置と、移動端末とを含み、前記無線制御装置と前記ノードとの間のインタフェースにおいてコネクションを設定するようにした移動通信システムにおけるノードの動作制御をコンピュータにより実行させるためのプログラムであって、
前記パケットデータ通信よりも高速なマルチキャストデータ通信のためのコネクションを、前記パケットデータ通信のためのコネクションとは別に設定するコネクション設定処理を含むことを特徴とするコンピュータ読取り可能なプログラム。
【請求項２２】
前記コネクション設定処理は、前記マルチキャストデータ通信のためのコネクションを、前記マルチキャストデータ通信のサービスを受ける複数の移動端末に対して共通に設定することを特徴とする請求項２１記載のプログラム。
【請求項２３】
前記コネクション設定処理は、前記マルチキャストデータ通信のサービスを受ける最初の移動端末からのサービス実施要求に応答して、前記マルチキャストデータ通信のためのコネクションを設定することを特徴とする請求項２２記載のプログラム。
【請求項２４】
前記マルチキャストデータ通信のサービスを受ける最後の移動端末からのサービス脱会要求に応答して、前記マルチキャストデータ通信のためのコネクションを開放する処理を、更に含むことを特徴とする請求項２２または２３記載のプログラム。
【請求項２５】
前記コネクション設定処理は、前記マルチキャストデータ通信のためのコネクションを、前記マルチキャストデータ通信のサービスを受ける複数の移動端末の各々に対して個々に設定することを特徴とする請求項２１記載のプログラム。
【請求項２６】
前記移動端末の各々からの前記マルチキャストデータ通信のサービス脱会要求に応答して、当該移動端末に対応した前記マルチキャストデータ通信のためのコネクションを開放する処理を、更に含むことを特徴とする請求項２５載のプログラム。
【発明の詳細な説明】
【技術分野】
【０００１】
本発明は移動通信システム及びその動作制御方法並びにそれに用いるノードに関し、特に移動通信システムにおいてＭＢＭＳ（Multimedia Broadcast Multicast Service）と呼ばれる高速データ通信に対応したブロードキャストやマルチキャストサービスを提供する際に必要となる、コアネットワークと無線制御装置との間のインタフェースにおけるシグナリングコネクションの構成方式に関するものである。
【背景技術】
【０００２】
Ｗ−ＣＤＭＡ（Wideband-CDMA ）方式の移動通信システムにおける各種制御信号の転送制御を行うためのシグナリングコネクションの構成方法が、３ＧＰＰ（Third Generation Partnership Project）により発行されている仕様書であるＴＳ２５．３３１の第５章の“RRC Services provided to upper layers ”（非特許文献１）に規定されている。図７を参照して、このシグナリングコネクションの構成方式について説明する。
【０００３】
図７において、Ｗ−ＣＤＭＡ移動通信システムは、交換機ネットワークであるコアネットワーク（ＣＮ）１０と、無線制御装置（ＲＮＣ）２２と、移動端末（ＵＥ）５１とを有している。コアネットワーク１０と無線制御装置２２との間には、シグナリング転送用の論理的なコネクション（論理コネクション）１１１や１２１が設定されている。なお、１１１はＣＳ  Ｉｕコネクションと称されるものであり、コアネットワーク１０を構成するＭＳＣ（Mobile-services Switching Center）１１と無線制御装置２２との間の論理コネクションであって、音声通信用の回線交換（Circuit Switched）機能を有するＣＳ網であるＣＳドメイン用の論理コネクションである。
【０００４】
また、１２１はＰＳ  Ｉｕコネクションと称されるものであり、コアネットワーク１０を構成するＳＧＳＮ（Serving GPRS(Global Packet Radio Service)Support Node ）１２と無線制御装置２２との間の論理コネクションであって、パケット交換（Packet Switched ）機能を有するＰＳ網であるＰＳドメイン用の論理コネクションである。無線制御装置２２は無線リソースの管理や無線基地局であるノードＢ（図示せず）の制御等を行うものであり、例えば、ハンドオーバの制御を行う制御装置である。
【０００５】
この無線制御装置２２と移動端末５１との間には、シグナリング転送用のＲＲＣ（Radio Resource Connection ）コネクション２１１が設定されている。このＲＲＣコネクション２１１は移動端末５１におけるＲＲＣシグナリングコネクション７１１に対応しており、このＲＲＣシグナリングコネクション７１１はＣＳドメイン６１１用のＣＳシグナリングコネクション５１１とＰＳドメイン６１２用のＰＳシグナリングコネクション５１２とからなる。
【０００６】
この様に、Ｗ−ＣＤＭＡ移動通信システムでは、移動端末５１において、ＣＳドメイン６１１及びＰＳドメイン６１２の各々に対応して１つのシグナリングコネクション５１１及び５１２を確立することが可能であることが、上記非特許文献１に定義されている。
【０００７】
この様な構成を有するＷ−ＣＤＭＡ移動通信システムにおいて、新たなサービスであるＭＢＭＳ（Multimedia Broadcast Multicast Service）をサポートする場合が考えられる。すなわちＭＢＭＳと呼ばれる、動画像や音響情報付きの画像等の大容量の高速データ通信に対応したブロードキャストやマルチキャストサービスを提供するような場合、図８に示すシステム構成となる。図８においては、マルチキャストサービスの場合を示す。
【０００８】
図８において図７と同等部分は同一符号により示されている。図８を参照すると、コアネットワーク１０と移動端末５１〜５３との間には、ＲＡＮ（無線アクセス制御装置）２１が設けられており、このＲＡＮ２１は無線制御装置（ＲＮＣ）２２とノードＢ２３とからなっており、図７ではノードＢ２３を省略して、無線制御装置２２のみを示している。
【０００９】
ＭＢＭＳのマルチキャストサービスの情報を配信するエリアであるＭＢＭＳエリア４１内には、ＭＢＭＳサービスに加入している移動端末５１，５２と、ＭＢＭＳサービスに加入していない移動端末５３とが在圏しているものとする。マルチキャストは指定された複数の宛先アドレス（移動端末）に対して同一データを配信するサービスである。
【００１０】
この場合において、コアネットワーク１０と無線制御装置２２との間におけるシグナリング用の論理コネクションは図９に示す如くなる。図９において、移動端末５１では、既に、ＣＳドメイン６１１のＣＳシグナリングコネクション５１１とＰＳドメイン６１２のＰＳシグナリングコネクション５１２とが確立しているものとし、その状態で、移動端末５１が更にＭＢＭＳサービスを受ける場合には、この移動端末５１に対しては、ＭＢＭＳサービスに対して新たなシグナリングコネクションの確立処理を実施する必要はない。すなわち、ＭＢＭＳサービスもパケット通信であるために、パケット交換処理機能のＰＳドメインに含まれるものと考えて、既に確立されている論理コネクションであるＰＳ  Ｉｕコネクション１２１を使用することができるためである。
【００１１】
この様に、移動端末に対して既にＰＳドメイン用のＩｕコネクションが確立されている場合には、ＳＧＳＮ１２はＲＡＮＡＰ（Radio Access Network Application Part ）プロトコルに準拠したページング処理（複数ある無線制御装置エリア（セル）の中で、移動端末がどのエリアに在圏しているかを把握するための処理）を行わないことになる。
【００１２】
これに対して、他の移動端末５２に対しては、ＰＳドメインのシグナリングコネクションが確立されていないために、ＭＢＭＳサービスを実施するために、新たにＭＢＭＳシグナリングコネクション５２３を確立することが必要になり、ＳＧＳＮ１２はページング処理が要求されることになる。なお、６１３は移動端末５２のＰＳドメインを示し、７１２は移動端末５２のＲＲＣシグナリングコネクションを示す。また、２１２は移動端末５２と無線制御装置２２との間のＲＲＣコネクションであり、１２２はコアネットワーク１０と無線制御装置２２との間のＭＢＭＳ  Ｉｕコネクションを示す。
【００１３】
【非特許文献１】３ＧＰＰ発行の仕様書ＴＳ２５．３３１，ｖ３．１０．０の第５章及び第１０章
【発明の開示】
【発明が解決しようとする課題】
【００１４】
図９を参照して説明した様に、Ｗ−ＣＤＭＡ移動通信システムにおいてＭＢＭＳサービスを新たにサポートする場合、移動端末５１において既にＰＳドメイン用のＰＳシグナリングコネクション５１２が確立しており、コアネットワーク１０と無線制御装置２２との間に、論理コネクションであるＰＳ  Ｉｕコネクション１２１が確立しているときには、ＭＢＭＳ用のシグナリングも、このＰＳ  Ｉｕコネクション１２１を用いることができる。
【００１５】
しかしながら、この様に、既存のパケット交換サービスであるＰＳサービスと新たなＭＢＭＳサービスとに共通してシグナリングコネクションを使用することは、異種サービス間での処理の競合が発生するという問題がある。すなわちＭＢＭＳサービス実施中に、通常のパケットサービスの確立要求（パケットデータの着信等）が発生すると、ＰＳシグナリングコネクションは既に確立されているために、ページング処理は実施されないが、ＭＢＭＳサービスで使用されていたシグナリングコネクションがパケットサービスのＲＡＢ（Radio Access Bearer ）確立処理のために使用されるために、ＭＢＭＳサービスとパケット通信サービスとの競合処理が発生する可能性が高い。
【００１６】
また、コアネットワーク１０におけるＳＧＳＮ１２における処理が複雑化するという問題が生ずる。すなわち、移動端末においては、ＰＳドメインで１つのシグナリングコネクションしか持っていないために、通常のパケットサービス向けに、ＰＳのシグナリングコネクションが確立済みの移動端末に対しては、既存のＰＳシグナリングコネクションを使用してメッセージの送受信が行われる。そのために、ＭＢＭＳサービス向けに新たなＰＳシグナリング確立は不要であるが、ＰＳシグナリングコネクションの確立が行われていない移動端末に対しては、ＭＢＭＳサービス向けにＰＳシグナリングコネクションを確立して、ＭＢＭＳのメッセージの送受信を行うので、ＳＧＳＮは各移動端末のＰＳシグナリングコネクションの確立の状態をチェックして、メッセージの送受信に用いるシグナリングコネクションを決定する必要がある。また、ＭＢＭＳサービスが終了した場合も、通常のパケットサービスを実施中の移動端末かどうかを判断して、ＳＧＳＮはシグナリングコネクションの解放処理を行う必要が生ずる。
【００１７】
本発明の目的は、既存のパケット通信サービスと新たなＭＢＭＳサービスとの競合発生をなくした移動通信システム及びその動作制御方法並びにそれに用いるノードを提供することである。
【００１８】
本発明の他の目的は、ＳＧＳＮにおける処理の複雑化をなくした移動通信システム及びその動作制御方法並びにそれに用いるノードを提供することである。
【課題を解決するための手段】
【００１９】
本発明による移動通信システムは、パケットデータ通信のためのパケット交換機能を有するノードを有するコアネットワークと、無線制御装置と、移動端末とを含み、前記無線制御装置と前記ノードとの間のインタフェースにおいてコネクションを設定するようにした移動通信システムであって、前記パケットデータ通信よりも高速なマルチキャストデータ通信のためのコネクションを、前記パケットデータ通信のためのコネクションとは別に設定するコネクション設定手段を含むことを特徴とする。
【００２０】
そして、前記コネクション設定手段は、前記マルチキャストデータ通信のためのコネクションを、前記マルチキャストデータ通信のサービスを受ける複数の移動端末に対して共通に設定するか、または前記マルチキャストデータ通信のためのコネクションを、前記マルチキャストデータ通信のサービスを受ける複数の移動端末の各々に対して個々に設定することを特徴とする。
【００２１】
本発明による動作制御方法は、パケットデータ通信のためのパケット交換機能を有するノードを有するコアネットワークと、無線制御装置と、移動端末とを含み、前記無線制御装置と前記ノードとの間のインタフェースにおいてコネクションを設定するようにした移動通信システムにおける動作制御方法であって、前記パケットデータ通信よりも高速なマルチキャストデータ通信のためのコネクションを、前記パケットデータ通信のためのコネクションとは別に設定するコネクション設定ステップを含むことを特徴とする。
【００２２】
そして、前記コネクション設定ステップは、前記マルチキャストデータ通信のためのコネクションを、前記マルチキャストデータ通信のサービスを受ける複数の移動端末に対して共通に設定するか、または前記マルチキャストデータ通信のためのコネクションを、前記マルチキャストデータ通信のサービスを受ける複数の移動端末の各々に対して個々に設定することを特徴とする。
【００２３】
本発明によるノードは、パケットデータ通信のためのパケット交換機能を有するノードを有するコアネットワークと、無線制御装置と、移動端末とを含み、前記無線制御装置と前記ノードとの間のインタフェースにおいてコネクションを設定するようにした移動通信システムにおけるノードであって、前記パケットデータ通信よりも高速なマルチキャストデータ通信のためのコネクションを、前記パケットデータ通信のためのコネクションとは別に設定するコネクション設定手段を含むことを特徴とする。
【００２４】
本発明によるプログラムは、パケットデータ通信のためのパケット交換機能を有するノードを有するコアネットワークと、無線制御装置と、移動端末とを含み、前記無線制御装置と前記ノードとの間のインタフェースにおいてコネクションを設定するようにした移動通信システムにおけるノードの動作制御をコンピュータにより実行させるためのプログラムであって、前記パケットデータ通信よりも高速なマルチキャストデータ通信のためのコネクションを、前記パケットデータ通信のためのコネクションとは別に設定するコネクション設定ステップを含むことを特徴とする。
【００２５】
本発明の作用を述べる。コアネットワークと無線制御装置との間における論理コネクションとして、既存のパケット通信サービスのためのＰＳ（パケット交換処理）機能用コネクションと、新たな高速データ通信であるＭＢＭＳ（ブロードキャスト／マルチキャスト）サービスのためのＭＢＭＳ用コネクションとを独立に分離して設ける構成とする。これにより、ＰＳサービスとＭＢＭＳサービスとの異種サービス間での競合がなくなり、異種サービス間での処理が、互いの処理を意識することなく行えることになる。また、コネクションの開放処理が、各サービス毎に単独で行えるので、ＳＧＳＮの処理の複雑さが解消されることにもなる。
【発明の効果】
【００２６】
本発明によれば、ＭＢＭＳサービスのためのＩｕコネクションを、ＰＳ用のＩｕコネクションとは別に独立して設けたので、ＭＢＭＳサービスと他のサービス（パケットデータ通信）との競合が発生することがなくなり、他のサービスを意識することなくＭＢＭＳサービスの実施ができ、特に他のサービスのシグナリングコネクションの確立状態をチェックする必要もなくなるという効果がある。
【発明を実施するための最良の形態】
【００２７】
以下に図面を参照しつつ本発明の実施例を説明する。図１は本発明の一実施例の概略システム構成図であり、図７〜９と同等部分は同一符号にて示している。図１を参照すると、コアネットワーク（ＣＮ）１０は、音声通信用の回線交換処理機能を有するＭＳＣ１１（ＣＳドメインとして定義される）と、パケットデータ通信用のパケット交換処理機能を有するＳＧＳＮ（汎用パケット無線サービスサポートノード）１２（ＰＳドメインとして定義される）とを含んでいる。このＳＧＳＮ１２は既存のパケットサービスの他、上述した新たなＭＢＭＳサービス（当該パケットサービスよりも高速のデータ通信に対応したブロードキャストやマルチキャスト通信サービス）に対応しており、移動端末５１，５２も同様であるものとする。
【００２８】
これ等移動端末５１，５２は、共に、ＭＢＭＳの情報を配信するエリア内に在圏しており（図８参照）、ＭＢＭＳサービスに加入しているものとする。
【００２９】
無線制御装置（ＲＮＣ）２２は無線リソースの管理や無線基地局であるノードＢ（図示せず）の制御などを行うものである。この無線制御装置２２と各移動端末５１や５２との間には、ＲＲＣコネクション２１１や２１２が設定される。移動端末５１には、既にＣＳシグナリングコネクション５１１とＰＳシグナリングコネクション５１２とが確立されており、よって、コアネットワーク１０と無線制御装置２２との間のＩｕインタフェースには、論理コネクションとして、移動端末５１用のＣＳ  Ｉｕコネクション１１１とＰＳ  Ｉｕコネクション１２１とが、確立されている。これにより、移動端末５１はＭＳＣ１１やＳＧＳＮ１２とメッセージの送受信を可能としている。
【００３０】
更に、移動端末５１がＭＢＭＳサービスを受ける場合、このＭＢＭＳサービスのための論理コネクションとして、本実施例では、ＰＳ  Ｉｕコネクション１２１を使用せずに、その代りに、ＭＢＭＳサービス専用のＭＢＭＳ  Ｉｕコネクション１２２を別に確立するのである。移動端末５１側では、ＰＳドメイン６１２内において、ＰＳシグナリングコネクション５１２とＭＢＭＳシグナリングコネクション５１３とが設定される。これにより、移動端末５２はＳＧＳＮ１２とＭＢＭＳサービスを受けるために必要となるメッセージの送受信が可能となる。
【００３１】
ここで、他の移動端末５２が同一のＭＢＭＳサービスを受ける場合には、移動端末５１に対するＭＢＭＳサービス用に既に確立されているＭＢＭＳ  Ｉｕコネクション１２２を共用するようになっている。更に別の移動端末が同一のＭＢＭＳサービスを受ける場合にも、このＭＢＭＳ  Ｉｕコネクション１２２を共用するのである。移動端末５２において、５２３はＭＢＭＳシグナリングコネクションである。
【００３２】
複数の移動端末に共用のＭＢＭＳ  Ｉｕコネクション１２２はＭＢＭＳサービスに関連したメッセージのみを扱い、ＰＳドメイン６１２，６１４のシグナリングコネクションとして設定される。
【００３３】
ＭＢＭＳのマルチキャストサービスでは、移動端末がネットワークに対してマルチキャストモードのデータを受信したい（マルチキャストモードのサービスを受けたい、すなわち入会したい）ことを通知する、いわゆる“Ｊｏｉｎｉｎｇ”と呼ばれる処理、マルチキャストデータの転送等が実施されることを通知する“ＭＢＭＳ  ｎｏｔｉｆｉｃａｔｉｏｎ”処理、ＭＢＭＳデータの転送処理、マルチキャストサービスから脱会する“Ｌｅａｖｉｎｇ”処理等を実施することになる。
【００３４】
次に、図２〜図４のシーケンス図を参照して本実施例の全体の動作について詳細に説明する。なお、本実施例では、移動端末５１に対する“Ｊｏｉｎｉｎｇ”処理が完了した後に、他の移動端末５２から“Ｊｏｉｎｉｎｇ”の要求が通知されるものとする。図２は“Ｊｏｉｎｉｎｇ”処理の動作を示すシーケンス図であり、図３，４はデータ転送と“Ｌｅａｖｉｎｇ”処理の動作を示すシーケンス図である。これ等各図における右端の四角で囲むステップは、ＳＧＳＮ１２での処理を示しているものとする。なお、図４は図３におけるシーケンス中のＭＢＭＳ向けのＣｏｎｎｅｃｔｉｏｎ確立処理（ステップＣ３）の詳細を示す図である。
【００３５】
まず、移動端末５１は電源投入等の操作をトリガとしてＲＲＣコネクションを無線制御装置２２との間で確立する（ステップＡ１）。そして、移動端末５１はＳＧＳＮ１２に対して“Ｊｏｉｎｉｎｇ”に関する情報を通知する。無線制御装置２２はＳＧＳＮ１２に対してコネクションの確立を要求し、無線制御装置２２とＳＧＳＮ１２との間にＩｕコネクションを確立する。この処理により、ＳＧＳＮ１２は移動端末５１からＭＢＭＳのデータ受信要求があることを認識する（ステップＡ２）。
【００３６】
ステップＡ２において、“Initial Direct Transfer “なるメッセージは、シグナリングコネクションを確立するために使用されるものであり、無線上、最初のＮＡＳ（移動端末とコアネットワークとの間で授受される）メッセージを送信するための使用される。また、“ＳＣＣＰ”は“Signaling Connection Control Part ”の略であり、アプリケーションの信号や情報を効率的に転送するための信号方式を意味し、“ＣＲ”は“Connection Request”の略であり、シグナリングコネクションの設定要求のために使用される。“ＣＣ”は“Connection Confirm”の略であり、シグナリングコネクションの設定を実行したことを通知するメッセージである。
【００３７】
その後、ＳＧＳＮ１２は認証やセキュリティの処理を実施し、不正な移動端末でないことを確認すると（ステップＡ３，Ａ３´）、ＳＧＳＮ１２は移動端末５１の“Ｊｏｉｎｉｎｇ”情報を、図示せぬ上位のゲートウェイ（ＧＧＳＮ）に通知し、移動端末５１に対しても“Ｊｏｉｎｉｎｇ”処理が完了したことを通知する（ステップＡ４，Ａ５）。“Ｊｏｉｎｉｎｇ”処理が完了すると、ＭＢＭＳデータの送信が実施されるまでコネクションが不要なため、一度Ｉｕコネクションの開放を行う（ステップＡ６）。
【００３８】
ステップＡ３において、“ＤＴ１”は“Data Form １”であり、様々なＳＣＣＰデータ（認証の要求や応答に関する情報など）を相手ノードへ送信するために使用されるメッセージである。
【００３９】
ここで、電源投入などによりＲＲＣコネクションが確立されている（ステップＡ７）移動端末５２からＳＧＳＮ１２に対して“Ｊｏｉｎｉｎｇ”に関する情報が通知された場合、移動端末５１に対すると同様の処理を実施し（ステップＡ８，Ａ９）、不正な移動端末でないことを確認すると、ゲートウェイであるＧＧＳＮに対する移動端末５２の“Ｊｏｉｎｉｎｇ”情報の通知と、移動端末５２への“Ｊｏｉｎｉｎｇ”処理の完了報告を行う（ステップＡ１０，Ａ１１）。“Ｊｏｉｎｉｎｇ”処理の完了後、一度Ｉｕコネクションの開放を行う（ステップＡ１２）。このステップＡ１２で、一旦Ｉｕコネクションの開放を行うのは、“Ｊｏｉｎｉｎｇ”の後、直ちに図３に示す“ＭＢＭＳ  Ｎｏｔｉｆｉｃａｔｉｏｎ”処理を行うとは限らないので、その間、別のサービスを実施するユーザに対してリソースを有効に割り当てるためである。
【００４０】
各移動端末の“Ｊｏｉｎｉｎｇ”処理の完了後に、実際にＭＢＭＳデータの転送が実施されることを、ＭＢＭＳサービスに加入した移動端末５１，５２に通知する“ＭＢＭＳ  ｎｏｔｉｆｉｃａｔｉｏｎ”処理が実施される（ステップＣ１，Ｃ２）。このとき、ＳＧＳＮ１２から無線制御装置２２に対して“ＭＢＭＳ  ｎｏｔｉｆｉｃａｔｉｏｎ”を移動端末へ送信するために要求するメッセージは“Ｊｏｉｎｉｎｇ”処理でＩｕコネクションを開放しているため、コネクションレスで実施される。また、無線制御装置２２に要求するメッセージは１メッセージのみであるが、同一のＭＢＭＳサービスを受ける複数の移動端末に対しては、同じＭＢＭＳサービスを受けるグループを示すグループ番号を使用することにより、同時に複数の移動端末にメッセージを送信することが可能になる。なお、この“ＵＤＴ”は“Ｕｎｉｔｄａｔａ”の略であり、コネクションレスでデータを送信したい場合に使用されるメッセージである。
【００４１】
なお、このグループ番号はＭＢＭＳサービスの種別を示す識別番号であって、予めシステム側（ＭＢＭＳサービスを提供するサーバ）から、不特定多数の移動端末に対して、予め識別番号とそれに対応するサービス種別とを報知しておき、移動端末は、自分が享受したいサービス種別に対応する識別番号を“Ｊｏｉｎｉｎｇ”情報に含ませてＳＧＳＮ１２へ送信するようになっている。従って、この“Ｊｏｉｎｉｎｇ”情報に含まれている識別番号により、ＳＧＳＮ１２は、“Ｊｏｉｎｉｎｇ”要求のあった移動端末がどのＭＢＭＳサービスを享受するのか判断することができることになる。
【００４２】
“ＭＢＭＳ  ｎｏｔｉｆｉｃａｔｉｏｎ”を受信した移動端末５１は、サービス享受のために、再度ＲＲＣコネクションを無線制御装置２２との間で確立し（ステップＢ１）、ＭＢＭＳサービスを要求するために、コネクションレスでＳＧＳＮ１２にメッセージを受信したことを通知する（ステップＢ２）。次に、移動端末５１からのＭＢＭＳサービス要求が、同一のＭＢＭＳエリア４１（図８参照）に存在する複数の移動端末の中で、最初のＭＢＭＳサービス要求であれば、ＳＧＳＮ１２は無線制御装置２２に対してＩｕコネクション１２２の確立を要求する（ステップＢ３、Ｂ３´）。この処理により、呼ＭＢＭＳサービスの呼毎にＩｕコネクションを確立することが不要になり、メッセージ量を減らす効果がある。その後、認証やセキュリティの処理を実施し、不正な移動端末でないことを確認すると、移動端末５１に対してＭＢＭＳサービス要求が完了したことを通知する（ステップＢ４，Ｂ５）。
【００４３】
ここで、“ＭＢＭＳ  Ｎｏｔｉｆｉｃａｔｉｏｎ”を受信し、ＲＲＣコネクションを確立している（ステップＢ６）移動端末５２からも、ＳＧＳＮ１２に対してＭＢＭＳサービス要求に関する情報が通知された場合、既にＭＢＭＳ向けのＩｕコネクションが確立されているために、無線制御装置２２に対してＩｕコネクションの確立要求が再度なされることはない（ステップＢ７、Ｂ８）。ＳＧＳＮ１２は、移動端末５１に対すると同様に、移動端末５２に対しても認証やセキュリティの処理を実施し、不正な端末でないことを確認すると、移動端末５２に対してＭＢＭＳサービス要求が完了したことを通知する（ステップＢ９，Ｂ１０）。
【００４４】
ＭＢＭＳサービスでＩｕコネクション１２２を共有しているため、ＭＢＭＳのＲＡＢの確立処理、ＭＢＭＳデータの転送、データ転送後に実施されるＭＢＭＳのＲＡＢ解放処理は、同一のコネクションを用いて実施することになる（ステップＣ４，Ｃ４´及びＣ５，Ｃ６，Ｃ６´）。
【００４５】
次に、ＭＢＭＳデータの受信が不要になった場合、ＭＢＭＳサービスから脱会するために“Ｌｅａｖｉｎｇ”処理が実施される（ステップＣ７）。この処理では、仮に移動端末５２の“Ｌｅａｖｉｎｇ”処理のみが終了した場合、移動端末５１の“Ｌｅａｖｉｎｇ”処理が終了していないため、Ｉｕコネクション１２２の解放処理を実施する必要がない（ステップＣ８）。最後に、ＭＢＭＳサービスに加入していた全移動端末（移動端末５１及び５２）で“Ｌｅａｖｉｎｇ”処理が完了すると、ＳＧＳＮ１２は無線制御装置２２とのＩｕコネクション１２２を解放して、ＭＢＭＳのマルチキャストサービスを終了する（ステップＣ９，Ｃ９´）。
【００４６】
なお、ステップＣ９において、“ＲＬＳＤ”は“Released”を示し、シグナリングコネクションや割当てられていたリソースの開放のために使用され、“ＲＬＣ”はRelease Complete”であり、開放が完了したことを通知するためのものである。
【００４７】
この様に、ＭＢＭＳサービスのためのＩｕコネクション１２２を、ＰＳ用のＩｕコネクション１２１とは別に独立して設けたので、ＭＢＭＳサービスと他のサービス（パケットデータ通信）との競合が発生することがなくなり、他のサービスを意識することなくＭＢＭＳサービスの実施ができ、特に他のサービスのシグナリングコネクションの確立状態をチェックする必要もなくなる。
【００４８】
更に、ＭＢＭＳサービスに加入している複数の移動端末に対して、ＭＢＭＳ用のシグナリングコネクションを共用する構成とすることにより、各移動端末に対して、個別の識別番号（ＩＭＳＩ：International Mobile Subscriber Identify）を用いて個別にメッセージの送信を行う必要がなく、ＭＢＭＳサービスに属していることを示すグループ番号（ＴＭＧＩ：Teporary mobile Group Identify）を用いてメッセージを送信することができ、更にはまた、一度、Ｉｕコネクションを確立すれば、同一のＭＢＭＳサービスを受けている移動端末の全てが“Ｌｅａｖｉｎｇ”するまで、Ｉｕコネクション１２２を開放する必要がなく、よってノード間のメッセージ量を削減することができる。
【００４９】
図５は本発明の他の実施例の概略ブロック図であり、図１と同等部分は同一符号により示している。本例では、移動端末５１において、確立される３つのシグナリングコネクションのうち、ＭＢＭＳ用のシグナリングコネクション５１３がＰＳドメン６１２ではなく、新たなＭＢＭＳドメイン６１３に対して確立されている点が、図１の実施例とは相違する。
【００５０】
ただし、無線制御装置２２と移動端末との間にＲＲＣコネクションを確立する場合に、コアネットワーク１０から無線制御装置２２へのメッセージにおいて、移動端末でのドメインの指定が異なるだけで、他の動作態様は図２〜図４に示した動作シーケンスと同一である。本実施例では、シグナリングコネクションを、それぞれ互いに異なるドメンイに確立するため、移動端末におけるシグナリングコネクションの管理が容易となる。
【００５１】
より詳述すると、コアネットワーク１０側では、ＣＳドメインやＰＳドメイン毎に管理しているエリアが異なっており、ＣＳドメインであれば、ＬＡ（Local Area）と呼ばれるエリアで移動端末の位置管理をしており、またＰＳドメインであれば、ＲＡ（Routing Area）と呼ばれるエリアで移動端末の位置管理をしている。ＭＢＭＳでは、ＭＢＭＳエリアと呼ばれるエリアによって、ＭＢＭＳ情報の送付先を管理することになるので、ＰＳドメインのＲＡエリアと同じ範囲のエリアであるとは決まっていない。仮に、既存のＰＳのシグナリングコネクションと、新たなＭＢＭＳのシグナリングコネクションとを、図１の実施例のように、同一のＰＳドメインで管理すると、ＰＳドメインとしてのＲＡは変わっていなくても、ＭＢＭＳエリアが変われば、位置登録を行う必要があり、１つのドメインで２つのエリアをチェックすることが必要となる。
【００５２】
そこで、図５に示す実施例のように、ドメインをＰＳドメイン６１２とＭＢＭＳドメイン６１３とに分割することにより、ドメインと管理するエリアとが一対一にすることができ、管理が容易となるのである。
【００５３】
但し、ＳＧＳＮ１２で問題が発生した場合、無線制御装置２２でＲＲＣシグナリングコネクションの開放処理が必要であるが、この場合、本実施例では、“ＲＲＣ：Signaling Connection Release”メッセージをドメイン毎に送信する必要があるが、先の実施例では、ドメインを分割していないので、１回のメッセージで済むことになる。
【００５４】
図６は本発明の更に他の実施例の概略ブロック図であり、図１と同等部分は同一符号にて示している。本例では、移動端末にそれぞれ対応して、ＭＢＭＳ用シグナリングコネクションのためのＭＢＭＳ  Ｉｕコネクション１２２，１２３をそれぞれに設ける構成であり、他は図１の構成と同じである。これ等各コネクション１２２，１２３の確立処理及び開放処理は、各移動端末毎に独立してＳＧＳＮ１２にて実施されることになるが、ＰＳ用シグナリングコネクションのためのＰＳ  Ｉｕコネクション１２１とは別にＭＢＭＳ  Ｉｕコネクションを設けているので、異種サービスとの競合の発生やＳＧＳＮでの処理の複雑化をなくすことができる。
【００５５】
なお、この図６に示した実施例では、移動端末毎に異なるＩｕコネクションを設定する場合には、同一メッセージを複数の指定された移動端末に対して送信する必要があり、よって無線上の複数のメッセージの送信により、輻輳が発生し、またノード間で実施されるメッセージ量が増大して処理能力に影響が出る可能性があるが、図１に示した実施例では、複数の移動端末に共通にＩｕコネクションを設定することで、無線上の同一メッセージによる輻輳の発生やノード間での処理能力に対する悪影響はなくなる。
【００５６】
なお、図６の実施例に図５に示した実施例を適用することができることは明白である。
【００５７】
上記実施例の動作は、予め記録媒体に動作手順をプログラムとして格納しておき、これをコンピュータ（ＣＰＵ）により読取らせて順次実行することにより実現可能であることは勿論である。
【図面の簡単な説明】
【００５８】
【図１】本発明の一実施例の概略ブロック図である。
【図２】本発明の一実施例のＭＢＳＭにおけるマルチキャストサービスへの“Ｊｏｉｎｉｎｇ”処理を示すシーケンス図である。
【図３】本発明の一実施例のＭＢＳＭにおけるマルチキャストサービスのデータ転送と“Ｌｅａｖｉｎｇ”処理を示すシーケンス図である。
【図４】本発明の一実施例のＭＢＳＭにおけるマルチキャストサービスでのコネクション確立処理を示すシーケンス図であり、図３の処理Ｃ３の詳細を示すものである。
【図５】本発明の他の実施例の概略ブロック図である。
【図６】本発明の更に他の実施例の概略ブロック図である。
【図７】従来例を説明する概略ブロック図である。
【図８】ＭＢＳＭにおけるマルチキャストサービスのための概略システム図である。
【図９】図７に示した構成においてＭＢＳＭにおけるマルチキャストサービスを受ける場合の説明図である。
【符号の説明】
【００５９】
１０  コアネットワーク（ＣＮ）
１１  ＭＳＣ
１２  ＳＧＳＮ
２２  無線制御装置（ＲＮＣ）
５１，５２  移動端末
１１１  ＣＳ  Ｉｕコネクション
１２１，１２２  ＭＢＭＳ  Ｉｕコネクション
２１１，２１２  ＲＲＣコネクション
５１１  ＣＳシグナリングコネクション
５１２  ＰＳシグナリングコネクション
５１３，５２３  ＭＢＭＳシグナリングコネクション
６１１  ＣＳドメイン
６１２，６１４  ＰＳドメイン
６１３，６１５  ＭＢＭＳドメイン
７１１，７１２  ＲＲＣシグナリングコネクション
【図１】
2006042389.tif 000003
【図５】
2006042389.tif 000004
【図６】
2006042389.tif 000005
【図７】
2006042389.tif 000006
【図８】
2006042389.tif 000007
【図９】
2006042389.tif 000008
【図２】
2006042389.tif 000009
【図３】
2006042389.tif 000010
【図４】
2006042389.tif 000011